(57)【特許請求の範囲】
【請求項１】
加熱用位置に位置する被加熱物を加熱するバーナと、
前記加熱用位置に被加熱物が存在するか否かを検出する被加熱物検出手段と、
前記被加熱物検出手段の検出情報に基づいて前記バーナの作動を制御する燃焼制御手段とが設けられたコンロであって、
前記燃焼制御手段は、前記バーナの燃焼中において、前記被加熱物検出手段が被加熱物の不存在を検出すると、直ちに前記バーナの燃焼量を不存在時燃焼量に低下させる不存在時燃焼量低下処理を実行し、前記被加熱物検出手段が被加熱物の不存在を検出した後の経過時間が不存在判別用設定時間に達するまでに、前記被加熱物検出手段が被加熱物の存在を検出すると、前記バーナを燃焼状態に維持する燃焼維持処理を実行し、前記経過時間が前記不存在判別用設定時間に達しても、前記被加熱物検出手段による被加熱物の不存在の検出が継続している場合は、前記バーナを消火させる不存在時消火処理を実行するように構成され、
前記バーナの燃焼量の調節を前記燃焼制御手段に指令する人為操作式の燃焼量調節操作部が設けられ、
前記燃焼制御手段は、前記不存在時燃焼量低下処理の実行中、及び、その不存在時燃焼量低下処理の実行後であって、前記被加熱物検出手段による被加熱物不存在の検出の継続により前記バーナの燃焼量を前記不存在時燃焼量に低下させている間は、前記燃焼量調節操作部からの燃焼量調節指令に基づく前記バーナの燃焼量の増大側への変更調節を実行しないように構成されているコンロ。
【請求項２】
前記燃焼制御手段は、前記不存在時燃焼量低下処理において、前記バーナの燃焼量を前記不存在時燃焼量に向けて漸減させるように構成されている請求項１記載のコンロ。
【請求項３】
前記バーナが、その燃焼量を複数段階の設定燃焼量に調節できるように構成され、
前記燃焼制御手段が、前記不存在時燃焼量低下処理において、前記不存在時燃焼量を、前記複数段階の設定燃焼量における最下段の設定燃焼量よりも上の段の設定燃焼量とするように構成されている請求項１又は２記載のコンロ。
【請求項４】
前記バーナの燃焼中において前記被加熱物検出手段が被加熱物の不存在を検出すると、前記加熱用位置に被加熱物を位置させることを促す案内情報を報知する報知手段が設けられている請求項１〜３のいずれか１項に記載のコンロ。
【請求項５】
前記燃焼制御手段は、前記燃焼維持処理において、前記バーナの燃焼量を前記不存在時燃焼量低下処理の実行前の燃焼量に戻すように構成されている請求項１〜４のいずれか１項に記載のコンロ。
【請求項６】
前記燃焼制御手段は、前記燃焼維持処理において、前記不存在時燃焼量低下処理の実行前の前記バーナの燃焼量がその調節範囲における最大燃焼量のときは、前記バーナの燃焼量を前記最大燃焼量よりも小さい待機用燃焼量までは直ちに増大し、その後、待機用設定時間が経過した後に前記最大燃焼量に戻すように構成されている請求項５記載のコンロ。
【発明の詳細な説明】
【技術分野】
【０００１】
本発明は、加熱用位置に位置する被加熱物を加熱するバーナと、
前記加熱用位置に被加熱物が存在するか否かを検出する被加熱物検出手段と、
前記被加熱物検出手段の検出情報に基づいて前記バーナの作動を制御する燃焼制御手段とが設けられたコンロに関する。
【背景技術】
【０００２】
かかるコンロは、加熱用位置に被加熱物が存在するか否かを検出する被加熱物検出手段の検出情報に基づいて、燃焼制御手段によりバーナの作動を制御するようにしたものである。
このようなコンロにおいて、従来は、燃焼制御手段を、バーナの燃焼中において、被加熱物検出手段が被加熱物の不存在を検出するとバーナの燃焼を停止させ、その被加熱物検出手段が被加熱物の不存在を検出することに基づくバーナの燃焼の停止中に、被加熱物検出手段が被加熱物の存在を検出するとバーナを点火させるように構成していた。
あるいは、燃焼制御手段を、バーナの燃焼中において、被加熱物検出手段が被加熱物の不存在を検出するとバーナの燃焼量を低下させ、その被加熱物検出手段が被加熱物の不存在を検出することに基づくバーナの燃焼量の低下中に、被加熱物検出手段が被加熱物の存在を検出するとバーナの燃焼量を増大させるように構成していた（例えば、特許文献１参照。）。
【０００３】
そして、被加熱物を加熱用位置から移動させたり加熱用位置に位置させたりしながら、バーナにより被加熱物を加熱する加熱調理を行うときに、被加熱物を加熱用位置から移動させるとバーナの燃焼を停止させるか燃焼量を低下させて、安全性を損なわないようにしながら、再び被加熱物を加熱用位置に位置させると、バーナを点火させるか燃焼量を増大させて被加熱物の加熱が継続されるようにして、使い勝手を向上するようにしていた。
【０００４】
ちなみに、被加熱物を加熱用位置から移動させたり加熱用位置に位置させたりしながら、バーナにより被加熱物を加熱する加熱調理としては、例えば、被加熱物としてのフライパンを加熱用位置としての五徳に載せたり五徳から上げたりして行う炒め物調理や、五徳に載せてバーナにて加熱中の被加熱物としての鍋を五徳から下ろして加熱状態を確認した後、五徳に載せる形態で行う加熱調理がある。
【０００５】
【特許文献１】特開平８−３０３７８５号公報
【発明の開示】
【発明が解決しようとする課題】
【０００６】
ところで、従来では、バーナの燃焼中において被加熱物検出手段が被加熱物の不存在を検出することに基づいて、バーナの燃焼を停止させている又は燃焼量を低下させている状態では、バーナの点火指令及び消火指令を指令する点消火指令手段が点火指令を指令する状態である限り、加熱用位置に被加熱物が位置されると、バーナが点火される又はバーナの燃焼量が増大されることになる。
【０００７】
従って、バーナの燃焼中において被加熱物検出手段が被加熱物の不存在を検出するとバーナの燃焼を停止させる場合では、使用者が被加熱物を加熱用位置に位置させたときに予期せずバーナが点火されるといった不具合が発生する虞があり、又、バーナの燃焼中において被加熱物検出手段が被加熱物の不存在を検出するとバーナの燃焼量を低下させる場合では、加熱用位置に被加熱物が位置しない状態でバーナの燃焼が長い時間継続する虞があり、いずれの場合も、安全性を向上する上で改善の余地があった。
【０００８】
本発明は、かかる実情に鑑みてなされたものであり、その目的は、使い勝手を向上しながら、安全性を向上し得るコンロを提供することにある。
【課題を解決するための手段】
【０００９】
本発明のコンロは、加熱用位置に位置する被加熱物を加熱するバーナと、
前記加熱用位置に被加熱物が存在するか否かを検出する被加熱物検出手段と、
前記被加熱物検出手段の検出情報に基づいて前記バーナの作動を制御する燃焼制御手段とが設けられたものであって、
第１特徴構成は、前記燃焼制御手段は、前記バーナの燃焼中において、前記被加熱物検出手段が被加熱物の不存在を検出すると、直ちに前記バーナの燃焼量を不存在時燃焼量に低下させる不存在時燃焼量低下処理を実行し、前記被加熱物検出手段が被加熱物の不存在を検出した後の経過時間が不存在判別用設定時間に達するまでに、前記被加熱物検出手段が被加熱物の存在を検出すると、前記バーナを燃焼状態に維持する燃焼維持処理を実行し、前記経過時間が前記不存在判別用設定時間に達しても、前記被加熱物検出手段による被加熱物の不存在の検出が継続している場合は、前記バーナを消火させる不存在時消火処理を実行するように構成され、
前記バーナの燃焼量の調節を前記燃焼制御手段に指令する人為操作式の燃焼量調節操作部が設けられ、
前記燃焼制御手段は、前記不存在時燃焼量低下処理の実行中、及び、その不存在時燃焼量低下処理の実行後であって、前記被加熱物検出手段による被加熱物不存在の検出の継続により前記バーナの燃焼量を前記不存在時燃焼量に低下させている間は、前記燃焼量調節操作部からの燃焼量調節指令に基づく前記バーナの燃焼量の増大側への変更調節を実行しないように構成されている点を特徴とする。
【００１０】
即ち、バーナの燃焼中において、被加熱物を加熱用位置から移動させると、直ちに、不存在時燃焼量低下処理が実行されてバーナの燃焼量が不存在時燃焼量に低下され、被加熱物を加熱用位置から移動させてから不存在判別用設定時間が経過するまでに、再び被加熱物を加熱用位置に位置させると、燃焼維持処理が実行されてバーナの燃焼が維持され、被加熱物を加熱用位置から移動させてから不存在判別用設定時間が経過しても、被加熱物を加熱用位置に位置させないと、不存在時消火処理が実行されてバーナが消火される。
ちなみに、前記燃焼維持処理としては、例えば、燃焼量を前記不存在時燃焼量低下処理の実行前の燃焼量に戻した燃焼を燃焼状態として、バーナの燃焼を維持させる形態、又は、前記不存在時燃焼量低下処理にて低下された前記不存在時燃焼量による燃焼を燃焼状態として、バーナの燃焼を維持させる形態がある。
【００１１】
つまり、被加熱物を加熱用位置から移動させたり加熱用位置に位置させたりしながら、バーナにより被加熱物を加熱する加熱調理を行うときに、被加熱物を加熱用位置から移動させると、直ちに、バーナの燃焼量が不存在時燃焼量に低下され、被加熱物を加熱用位置から移動させてから不存在判別用設定時間が経過するまでに、再び被加熱物を加熱用位置に位置させると、例えば、バーナの燃焼量が被加熱物を移動させる前の燃焼量に戻された状態又は被加熱物を移動させることに伴って低下された不存在時燃焼量に維持された状態で、バーナの燃焼が維持されるので、安全性を損なわないようにしながら、使い勝手を向上することが可能となる。
しかも、バーナの燃焼中に被加熱物を加熱用位置から移動させてから不存在判別用設定時間が経過しても、被加熱物を加熱用位置に位置させないと、バーナが消火されるので、加熱用位置に被加熱物が位置しない状態でバーナの燃焼が長い時間継続するのを防止することが可能となり、安全性を向上することができる。
従って、使い勝手を向上しながら、安全性を向上し得るコンロを提供することができるようになった。
また、第１特徴構成によれば、不存在時燃焼量低下処理の実行中、及び、その不存在時燃焼量低下処理の実行後であって、被加熱物検出手段による被加熱物不存在の検出の継続によりバーナの燃焼量が不存在時燃焼量に低下されているときに、人為操作式の燃焼量調節操作部により、バーナの燃焼量を増大側へ変更調節するように指令しても、バーナの燃焼量が増大されない。
つまり、被加熱物を加熱用位置から移動させると燃焼量が小さくなったのに伴って、使用者がバーナの燃焼量を大きくするように燃焼量調節操作部を操作しても、バーナの燃焼量が増大されない。
又、使用者が、前記不存在時燃焼量低下処理の実行前の燃焼量よりも大きい燃焼量を指令する操作位置に燃焼量調節操作部を操作しても、バーナの燃焼量が増大されないので、被加熱物を加熱用位置に戻して燃焼維持処理が実行されたときに、バーナの燃焼量が前記不存在時燃焼量低下処理の実行前の燃焼量よりも大きくなるのを防止することが可能となる。
従って、加熱用位置に被加熱物が位置しない状態で、バーナの燃焼量が大きくなるのを防止することができ、又、被加熱物を加熱用位置に戻したときに、燃焼量が被加熱物を移動させる前の燃焼量よりも大きくなるのを防止することができるので、安全性を一層向上することができる。
【００１２】
第２特徴構成は、上記第１特徴構成に加えて、
前記燃焼制御手段は、前記不存在時燃焼量低下処理において、前記バーナの燃焼量を前記不存在時燃焼量に向けて漸減させるように構成されている点を特徴とする。
【００１３】
即ち、不存在時燃焼量低下処理においては、バーナの燃焼量が不存在時燃焼量に向けて漸減されるので、バーナの燃焼量を不存在時燃焼量に低下させるときに、バーナが吹き消えるのを防止することができる。
従って、被加熱物を加熱用位置から移動させたり加熱用位置に位置させたりしながら、バーナにより被加熱物を加熱する加熱調理を行っているときに、バーナが消火するのを防止することができるので、そのような加熱調理を適切に行うことができ、又、バーナを再点火させる手間が省けて使い勝手を一層向上することができる。
【００１４】
第３特徴構成は、上記第１又は第２特徴構成に加えて、
前記バーナが、その燃焼量を複数段階の設定燃焼量に調節できるように構成され、
前記燃焼制御手段が、前記不存在時燃焼量低下処理において、前記不存在時燃焼量を、前記複数段階の設定燃焼量における最下段の設定燃焼量よりも上の段の設定燃焼量とするように構成されている点を特徴とする。
【００１５】
即ち、不存在時燃焼量低下処理においては、不存在時燃焼量が複数段階の設定燃焼量における最下段の設定燃焼量よりも上の段の設定燃焼量とされるので、加熱用位置に被加熱物が位置しない状態で、バーナの燃焼量が不存在時燃焼量に低下されているときに、バーナが吹き消えるのを防止することができる。
従って、被加熱物を加熱用位置から移動させたり加熱用位置に位置させたりしながら、バーナにより被加熱物を加熱する加熱調理を行っているときに、バーナが消火するのを防止することができるので、そのような加熱調理を適切に行うことができ、又、バーナを再点火させる手間が省けて使い勝手を一層向上することができる。
【００１８】
第４特徴構成は、上記第１〜第３特徴構成のいずれかに加えて、
前記バーナの燃焼中において前記被加熱物検出手段が被加熱物の不存在を検出すると、
前記加熱用位置に被加熱物を位置させることを促す案内情報を報知する報知手段が設けられている点を特徴とする。
【００１９】
即ち、バーナの燃焼中において被加熱物を加熱用位置から移動させると、報知手段により、加熱用位置に被加熱物を位置させることを促す案内情報が報知される。
つまり、報知手段にて報知される案内情報により、使用者は、被加熱物を加熱用位置に位置させる必要があることを認識することができるので、被加熱物を加熱用位置から移動させている時間が長くなってバーナが消火されてしまうのを抑制することが可能となる。
従って、被加熱物を加熱用位置から移動させたり加熱用位置に位置させたりしながら、バーナにより被加熱物を加熱する加熱調理を行っているときに、バーナが消火するのを防止することができるので、そのような加熱調理を適切に行うことができ、又、バーナを再点火させる手間が省けて使い勝手を一層向上することができる。
【００２０】
第５特徴構成は、上記第１〜第４特徴構成のいずれかに加えて、
前記燃焼制御手段は、前記燃焼維持処理において、前記バーナの燃焼量を前記不存在時燃焼量低下処理の実行前の燃焼量に戻すように構成されている点を特徴とする。
【００２１】
即ち、バーナの燃焼中において、被加熱物を加熱用位置から移動させることによりバーナの燃焼量が不存在時燃焼量に低下されても、被加熱物を加熱用位置に位置させると、バーナの燃焼量が被加熱物を加熱用位置から移動させたときの燃焼量に戻る。
つまり、被加熱物を加熱用位置から移動させたり加熱用位置に位置させたりしながら、バーナにより被加熱物を加熱する加熱調理を行う場合に、被加熱物を加熱用位置に戻すとバーナの燃焼量が被加熱物を加熱用位置から移動させたときの燃焼量に戻るので、このような調理が一層行い易くなる。
【００２２】
第６特徴構成は、上記第５特徴構成に加えて、
前記燃焼制御手段は、前記燃焼維持処理において、前記不存在時燃焼量低下処理の実行前の前記バーナの燃焼量がその調節範囲における最大燃焼量のときは、前記バーナの燃焼量を前記最大燃焼量よりも小さい待機用燃焼量までは直ちに増大し、その後、待機用設定時間が経過した後に前記最大燃焼量に戻すように構成されている点を特徴とする。
【００２３】
即ち、バーナがその燃焼量の調節範囲における最大燃焼量にて燃焼しているときに、被加熱物を加熱用位置から移動させて、再び、被加熱物を加熱用位置に位置させると、バーナの燃焼量が、最大燃焼量よりも小さい待機用燃焼量までは直ちに増大し、その後、待機用設定時間が経過した後に最大燃焼量に戻る。
従って、被加熱物を加熱用位置に位置させた直後であって、使用者の腕等がバーナの近くにあるときに、バーナの火炎が大きくなって火炎が被加熱物の底部からあふれるのを防止することが可能となるので、安全性を一層向上することができるようになった。
【発明を実施するための最良の形態】
【００２４】
以下、図面に基づいて、本発明の実施の形態を説明する。
図１及び図２に示すように、ガスコンロは、３つのコンロバーナ１ａ，１ｂ，１ｃ、及び、グリルバーナ２を備えるグリル部３を備えたビルトインタイプのガスコンロにて構成されており、３つのコンロバーナ１ａ，１ｂ，１ｃは標準バーナ１ａと、小バーナ１ｂと、高火力バーナ１ｃとによって構成されている。
【００２５】
又、図１に示すように、グリル部３の燃焼排ガスを排気するためのグリル排気口４が形成され、ガラス製のトッププレート５にてガスコンロ上面が覆われており、このトッププレート５の上部に、標準バーナ１ａ、小バーナ１ｂ及び高火力バーナ１ｃに対する被加熱物（鍋など）を受け止め支持するための五徳６が載置支持されている。つまり、五徳６上が、被加熱物を位置させる加熱用位置に相当する。
又、トッププレート５の裏面側に、標準バーナ１ａ、小バーナ１ｂ及び高火力バーナ１ｃ夫々の火力、並びに、グリルバーナ２の点消火状態を表示する天面表示部７０が、トッププレート５を通して視認可能なように設けられている。
【００２６】
又、図１及び図２に示すように、ガスコンロ前側面には、標準バーナ１ａ、小バーナ１ｂ及び高火力バーナ１ｃとグリルバーナ２との点火及び消火や火力調節と各種の設定とを指令する手動操作部Ｓが設けられ、マイクロコンピュータを備えて各種の制御を実行するように構成された燃焼制御部Ｈ（燃焼制御手段の一例）が、その手動操作部Ｓにて指令された運転状態に基づいて、標準バーナ１ａ、小バーナ１ｂ及び高火力バーナ１ｃとグリルバーナ２を制御するように構成されている。又、ガスコンロ前側面には自動復帰型の押し操作式の電源スイッチ４０も設けられている。
【００２７】
図２に示すように、標準バーナ１ａ、小バーナ１ｂ及び高火力バーナ１ｃの夫々には、点火プラグ７及び着火状態を検出する熱電対８が設けられており、グリルバーナ２は上面バーナ２ａと左右一対の下面バーナ２ｂ，２ｃとを備えた両面バーナにて構成されて、上面バーナ２ａ及び左右一対の下面バーナ２ｂ，２ｃの夫々にも点火プラグ７及び着火状態を検出するための熱電対８等が備えられている。
【００２８】
又、標準バーナ１ａ、小バーナ１ｂ及び高火力バーナ１ｃの夫々には、図２及び図３に示すように（但し、図３では標準バーナ１ａについて示す）、伸び方向に復帰付勢された伸縮機構９が、下端側が固定された状態で上下方向に伸縮自在に設けられている。
この伸縮機構９は、図３に示すように、ケーシングに対して固定された案内支持部９ａに上下可動部９ｂをバネ（図示省略）にて上方に復帰付勢した状態で上下方向に移動自在に支持して構成してある。
【００２９】
そして、五徳６上に被加熱物が載置されていないときは、上下可動部９ｂの上端が五徳６における被加熱物を受け止める上端部よりも突出した伸状態となり、五徳６上に被加熱物が載置されるに伴って、上下可動部９ｂが被加熱物の底部により押し下げられて縮状態となる。
【００３０】
そして、標準バーナ１ａ及び高火力バーナ１ｃの夫々に対応する伸縮機構９に対して、その伸縮機構９の上下可動部９ｂが五徳６上に載置された被加熱物により押し下げられるとオンし、五徳６上に載置された被加熱物が上げられて上下可動部９ｂが上方に復帰するとオフになるように被加熱物検出スイッチ１０を設けてある。
つまり、被加熱物検出スイッチ１０がオンの状態で、五徳６上に被加熱物が存在すること、即ち、被加熱物の存在が検出され、被加熱物検出スイッチ１０がオフの状態で、五徳６上に被加熱物が存在しないこと、即ち、被加熱物の不存在が検出されることになり、この被加熱物検出スイッチ１０により前記被加熱物検出手段が構成される。
【００３１】
更に、標準バーナ１ａ、小バーナ１ｂ及び高火力バーナ１ｃの夫々に対応する伸縮機構９の上下可動部９ｂの上端部内には、温度センサ１１が設けられ、五徳６上に載置された被加熱物の底部が上下可動部９ｂの上端に当接した状態で、この温度センサ１１により被加熱物の温度を検出するように構成されている。又、図示を省略するが、グリル部３には、グリル庫内の温度を検出する温度センサが設けられている。
【００３２】
前記標準バーナ１ａ、小バーナ１ｂ及び高火力バーナ１ｃとグリルバーナ２とへのガス供給構成について説明すると、図２に示すように、元ガス供給路１２には元ガス電磁弁１３が設けられ、この元ガス供給路１２から、標準バーナ用分岐路１４ａ、小バーナ用分岐路１４ｂ、高火力バーナ用分岐路１４ｃ、グリルバーナ用分岐路１４ｄの４系統に分岐しており、グリルバーナ２へのグリルバーナ用分岐路１４ｄは、さらに、上面バーナ用の分岐路と下面バーナ用分岐路とに分岐してそれらの分岐路には夫々、オリフィスｏｆ付きの流路１５と開閉式電磁弁１６を備えたバイパス路１７が設けられている。そして、標準バーナ用分岐路１４ａ、小バーナ用分岐路１４ｂ、高火力バーナ用分岐路１４ｃ、及び、グリルバーナ用分岐路１４ｄの夫々には、ステッピングモータ１９（図４参照）の駆動によってガス量を調整して前記各バーナの燃焼量（火力）を調整する流量制御弁１８が備えられている。
【００３３】
この流量制御弁１８は、図４に示すように、駆動源としてのステッピングモータ１９と、このステッピングモータ１９の回転操作をスライド移動操作に変更させるネジ送り式の移動操作機構２０と、ガス通過用の挿通孔２１が形成されたスライド閉子２２と、複数のガス通過用の調整孔２３を形成した流量調整板２４等を備えて構成されている。そして、前記スライド閉子２２と流量調整板２４とによってガス量を変更可能な流量調整部２５が構成されている。つまり、図４に示すようにガス流路を遮蔽する状態でスライド閉子２２と流量調整板２４とがバネ２６によって圧接される状態で相対的にスライド自在に設けられ、ステッピングモータ１９を駆動することでスライド閉子２２をスライド移動させながら、図５に示すように、スライド閉子２２に形成された挿通孔２１が流量調整板２４の調整孔２３と重なり合う面積合計を変更させることで、バーナへのガス供給量を変更調整自在な構成となっている。尚、前記スライド閉子２２のスライド移動量はスライド移動検出センサ２７によって検出される構成となっている。
【００３４】
次に、前記手動操作部Ｓの構成について説明する。図１、図６及び図７に示すように、ガスコンロ前側面には、手動操作部Ｓとして、標準バーナ１ａ、小バーナ１ｂ及び高火力バーナ１ｃの夫々に対応して、バーナ１ａ，１ｂ，１ｃの点火指令を指令する点火指令状態とバーナ１ａ，１ｂ，１ｃの消火指令を指令する消火指令状態とに切り換え自在な指令手段としての人為操作式の点消火指令部２８、バーナ１ａ，１ｂ，１ｃの燃焼量（火力）の調節を指令する人為操作式の燃焼量調節操作部２９、及び、調理の設定を指令する設定入力パネル５０が設けられ、並びに、グリルバーナ２に対して、点火及び消火や火力調整を指令するための設定入力パネル６０が設けられている。これら３つの点消火指令部２８及び３つの燃焼量調節操作部２９は同じ構成であるから、そのうちの標準バーナ１ａに対する加熱状態調節部２８を代表として構成を以下に説明し、他のものについては説明を省略する。又、設定入力パネル５０及び設定入力パネル６０は開閉式になっている。
【００３５】
図６及び図７に示すように、点火指令及び消火指令を指令する押し操作式の点消火スイッチ３２がガスコンロの前面パネル３８の内部に設けられ、前面パネル３８に形成した挿通孔３９を通して裏面側から挿通する状態で円筒状の回転操作部３１が設けられている。そして、この回転操作部３１は、その回転軸心方向の移動により、前記点消火スイッチ３２を消火指令を指令する消火指令状態に操作する消火指令用に押し込み位置と、その押し込み位置よりも突出して点消火スイッチ３２を点火指令を指令する点火指令状態に操作する点火指令用の突出位置とに切り換え自在に構成され、且つ、前記突出位置にて前記燃焼量を調整すべく回転操作自在に構成されている。
【００３６】
説明を加えると、回転操作部３１は、押し操作される毎に回転軸心方向に移動して、図示しない位置保持機構によって、前面パネル３８とほぼ面一になる押し込み位置と前方に突出する突出位置とに切り換え自在に構成され、回転操作部３１が前記突出位置に切り換えられているときに、正転方向及び逆転方向の夫々にその軸心周りで回動操作可能となるように構成されている。そして、この回転操作部３１が押し込み位置に切り換えられるとそれに伴って点消火スイッチ３２がＯＦＦ（オフ）状態となり、回転操作部３１が突出位置に切り替えられるとそれに伴って点消火スイッチ３２がＯＮ（オン）状態となるように連動して切り換わる構成となっている。図２に示すように、この点消火スイッチ３２の切り換え信号は燃焼制御部Ｈに入力されており、燃焼制御部Ｈはこの点消火スイッチ３２がＯＮ状態に切り換わると標準バーナ１ａに対する点火作動を開始し、ＯＦＦ状態に切り換わると標準バーナ１ａの燃焼作動を停止するように構成されている。
つまり、前記回転操作部３１及び点消火スイッチ３２により、点消火指令部２８が構成されている。
【００３７】
又、前記前面パネル３８の内部には、回転操作部３１の回転操作に伴ってパルス信号を出力するパルス発生手段としてのロータリーエンコーダ３３が設けられている。つまり、このロータリーエンコーダ３３の操作軸３４に前記回転操作部３１が一体回動自在に且つ軸心方向での相対移動を許容する状態で接続されている。このロータリーエンコーダ３３は、回転操作部３１の一方向への回転操作に伴って２つのパルス信号のうちの一方のパルス信号が他方のパルス信号より位相が進み、回転操作部３１の他方向への回転操作に伴って前記他方のパルス信号が前記一方のパルス信号より位相が進む状態で、回転操作部３１の回転操作に伴って互いに異なる位相の２つのパルス信号を出力するように構成されている。つまり、このロータリーエンコーダ３３は、２つの出力端子を備えており、その２つの出力端子から上述したような位相の異なるパルス信号が出力される構成である。このようなロータリーエンコーダ３３は周知のものであるから詳細な構成についての説明は省略する。
【００３８】
図８に示すように、前記前面パネル３８の外面側において前記各回転操作部３１の周囲には火力を表示する複数のＬＥＤランプ３５を並べる状態で火力を表示する前面火力表示部３６が設けられている。この前面火力表示部３６は複数のＬＥＤランプ３５をレベルメータとして用いて、回転操作部３１にて設定された燃焼量（火力）の大きさを燃焼量の大きさに応じた数のＬＥＤランプ３５を点灯させて表示する構成となっている。この実施形態では、火力の大きさが最小火力から最大火力まで、標準バーナ１ａ及び高火力バーナ１ｃでは５段階に変更調整でき、小バーナ１ｃでは３段階に変更調整できる構成となっているので、標準バーナ１ａ及び高火力バーナ１ｃの夫々に対応する前面火力表示部３６は、５個のＬＥＤランプ３５にて構成され、小バーナ１ｃに対応する前面火力表示部３６は、３個のＬＥＤランプ３５にて構成されている。
【００３９】
つまり、標準バーナ１ａ及び高火力バーナ１ｃの夫々は、その燃焼量を５段階の設定燃焼量に調節できるように構成され、又、小バーナ１ｃは、その燃焼量を３段階の設定燃焼量に調節できるように構成されている。
【００４０】
図１及び図９に示すように、前記天面表示部７０は、標準バーナ１ａ、小バーナ１ｂ及び高火力バーナ１ｃ夫々に対応する３個の天面火力表示部７１と、グリルバーナ２に対応するグリル燃焼表示部７３とから構成されている。
前記天面火力表示部７１は、前面火力表示部３６と同構成であり、複数のＬＥＤランプ７２をレベルメータとして用いて回転操作部３１にて設定された燃焼量（火力）の大きさを燃焼量の大きさに応じた数のＬＥＤランプ７２を点灯させて表示する構成となっている。又、前記グリル燃焼表示部７３は、１個のＬＥＤランプ７４から構成され、グリルバーナ２を点火させるとその燃焼状態をＬＥＤランプ７４を点灯させて表示する構成となっている。
【００４１】
そして、燃焼制御部Ｈは、図２に示すように、標準バーナ１ａ、小バーナ１ｂ及び高火力バーナ１ｃ夫々に対応するロータリーエンコーダ３３にて発生するパルス信号に基づいて、標準バーナ１ａ、小バーナ１ｂ及び高火力バーナ１ｃ夫々に対する燃料供給量を調整するように標準バーナ１ａ、小バーナ１ｂ及び高火力バーナ１ｃ夫々に対する流量制御弁１８の作動を制御するよう構成されている。つまり、燃焼制御部Ｈは、ロータリーエンコーダ３３から出力される前記パルス信号に基づいて、回転操作部３１の回転操作方向並びに回転操作量を判別するとともに、その判別した回転操作方向並びに回転操作量に対応させて標準バーナ１ａ等の燃焼量を調整することになるが、そのとき、ロータリーエンコーダ３３から出力される２つのパルス信号のデータを予め定めた設定単位時間毎に繰り返し読み込み、その読み込まれた前記２つのパルス信号のデータにおけるデータパターンに基づいて、回転操作部３１の回転操作方向並びに回転操作量を判別するように構成されている。
【００４２】
つまり、前記回転操作部３１及びロータリーエンコーダ３３により、前記燃焼量調節操作部２９が構成されている。
【００４３】
又、図２に示すように、燃焼制御部Ｈは、標準バーナ１ａ、小バーナ１ｂ及び高火力バーナ１ｃ夫々に対応するロータリーエンコーダ３３にて発生するパルス信号に基づいて、標準バーナ１ａ、小バーナ１ｂ及び高火力バーナ１ｃ夫々の火力を標準バーナ１ａ、小バーナ１ｂ及び高火力バーナ１ｃ夫々に対応する前面火力表示部３６及び天面火力表示部７１にて表示するように構成されている。
つまり、燃焼制御部Ｈは、前面火力表示部３６及び天面火力表示部７１を同様に制御するように構成され、例えば、標準バーナ１ａに対応するロータリーエンコーダ３３にて発生するパルス信号が火力３に対応する場合は、前面火力表示部３６を構成するＬＥＤランプ３５を３個点灯させ、且つ、天面表示部７１を構成するＬＥＤランプ７２を３個点灯させる。
【００４４】
又、図２に示すように、このガスコンロには各種情報を音声にて報知する報知手段としてのスピーカ３７が備えられており、燃焼制御部Ｈは、各種情報をこのスピーカ３７により報知させるように構成されている。
【００４５】
次に、図１０ないし図１３に示すフローチャートに基づいて、前記燃焼制御部Ｈの制御動作について説明する。
尚、本発明に係る制御は、前記標準バーナ１ａ及び前記高火力バーナ１ｃを対象にして実行するので、前記小バーナ１ｂ及び前記グリルバーナ２を対象にした燃焼制御部Ｈの制御動作の説明は省略する。
又、標準バーナ１ａ及び高火力バーナ１ｃ夫々を対象にした燃焼制御部Ｈの制御動作は同様であるので、以下では、標準バーナ１ａを対象にした制御動作について説明して、高火力バーナ１ｃを対象にした制御動作の説明は省略する。
又、前記元ガス電磁弁１３は、標準バーナ１ａ、小バーナ１ｂ、高火力バーナ１ｃ及びグリルバーナ２のうちの少なくとも一つに対応する点消火スイッチ３２がＯＮ状態のときは開弁し、標準バーナ１ａ、小バーナ１ｂ、高火力バーナ１ｃ及びグリルバーナ２夫々に対応する点消火スイッチ３２の全てがＯＦＦ状態のときは、閉弁状態に維持するので、以下の説明では、この元ガス電磁弁１３の制御については説明を省略する。
【００４６】
図１０に基づいて、メインの制御動作について説明する。
燃焼制御部Ｈは、点消火スイッチ３２がＯＦＦ状態からＯＮ状態に切り換えられたときに、被加熱物検出スイッチ１０がＯＮ状態の場合は、流量制御弁１８を開弁させ、点火プラグ７に駆動信号を与えて点火作動させることにより、標準バーナ１ａを点火させる点火処理を行い、ロータリーエンコーダ３３から出力される前記パルス信号に応じた段階の火力となるように流量制御弁１８の開度を調節することにより、燃焼量調節処理を行い（ステップ＃１〜４）、点消火スイッチ３２がＯＦＦ状態からＯＮ状態に切り換えられたときに、被加熱物検出スイッチ１０がＯＦＦ状態の場合は、消火中被加熱物無し時制御を実行する（ステップ＃１，２，２０）。
【００４７】
更に、燃焼制御部Ｈは、標準バーナ１ａの燃焼中は、被加熱物検出スイッチ１０の状態を監視して、被加熱物検出スイッチ１０がＯＮ状態の間は、前記燃焼量調節処理を行いながら、点消火スイッチ３２がＯＮ状態からＯＦＦ状態に切り換えられるまで、標準バーナ１ａの燃焼を継続し、点消火スイッチ３２がＯＮ状態からＯＦＦ状態に切り換えられると、流量制御弁１８を閉弁することにより消火処理を行って、リターンする（ステップ＃５〜８）。
【００４８】
燃焼制御部Ｈは、標準バーナ１ａの燃焼中に、被加熱物検出スイッチ１０がＯＦＦ状態になると、燃焼中被加熱物無し時制御を実行する（ステップ＃５，３０）。
【００４９】
次に、図１１に基づいて、前記消火中被加熱物無し時制御について、説明する。
燃焼制御部Ｈは、点消火スイッチ３２がＯＦＦ状態からＯＮ状態に切り換えられたときに、被加熱物検出スイッチ１０がＯＦＦ状態の場合は、スピーカ３７により、加熱用位置に被加熱物を位置させることを促す案内情報（例えば、「鍋を置いて下さい」の如き案内情報）を報知させ、点消火スイッチ３２がＯＦＦ状態からＯＮ状態に切り換えられた後の経過時間Ｔ１が待機用設定時間Ｔｓ１に達しない間は、被加熱物検出スイッチ１０の状態を監視して、被加熱物検出スイッチ１０がＯＮ状態になると（ステップ＃２１〜２３）、図１０に示すメインのフローチャートのステップ＃３に戻って、点火処理を行う。
【００５０】
又、燃焼制御部Ｈは、点消火スイッチ３２がＯＦＦ状態からＯＮ状態に切り換えられた後の経過時間Ｔ１が待機用設定時間Ｔｓ１に達しても、被加熱物検出スイッチ１０のＯＦＦ状態が継続していると、点消火スイッチ３２がＯＮ状態であることによる点火指令を無効にし、スピーカ３７により、例えば、「安全装置が働きました」の如き警報を報知させ、標準バーナ１ａに対応する前面火力表示部３６及び天面火力表示部７１を同様に点滅させて（ステップ２２、２４〜２６）、メインのフローチャートのステップ＃１に戻って、点消火スイッチ３２がＯＦＦ状態からＯＮ状態に切り換えられるのを待つ。
ちなみに、前記待機用設定時間Ｔｓ１は、例えば１０秒に設定する。
【００５１】
つまり、燃焼制御部Ｈは、前記指令手段としての点消火指令部２８が消火指令状態から点火指令状態に切り換えられたときに、被加熱物検出手段１０が被加熱物の存在を検出している場合はバーナ１ａ，１ｃを点火させ、且つ、被加熱物検出手段１０が被加熱物の不存在を検出している場合はバーナ１ａ，１ｃを消火状態に維持し、点消火指令部２８が前記消火指令状態から前記点火指令状態に切り換えられたときに、被加熱物検出手段１０が被加熱物の不存在を検出していることにより、バーナ１ａ，１ｃを消火状態に維持しているときに、被加熱物検出手段１０が被加熱物の存在を検出するとバーナ１ａ，１ｃを点火させるように構成されている。
【００５２】
又、燃焼制御手段Ｈは、点消火指令部２８が前記消火指令状態から前記点火指令状態に切り換えられたときに、被加熱物検出手段１０が被加熱物の不存在を検出していることにより、バーナ１ａ，１ｃを消火状態に維持しているときに、点消火指令部２８が前記消火指令状態から前記点火指令状態に切り換えられた後の経過時間Ｔ１が待機用設定時間Ｔｓ１に達するまでに被加熱物検出手段１０が被加熱物の存在を検出する場合には、バーナ１ａ，１ｃを点火させ、前記経過時間Ｔ１が前記待機用設定時間Ｔｓ１に達しても、被加熱物検出手段１０による被加熱物の不存在の検出が継続していると、点消火指令部２８の点火指令を無効にするように構成されている。
【００５３】
次に、図１２に基づいて、燃焼中被加熱物無し時制御について、説明する。
燃焼制御手段Ｈは、標準バーナ１ａの燃焼中に、被加熱物検出スイッチ１０がＯＦＦ状態になると、直ちに、標準バーナ１ａの燃焼量を前記５段階の火力のうちの最下段の火力１よりも１段上の火力２に対応する不存在時燃焼量に一気に低下させるように流量制御弁１８の開度を調節することにより、不存在時燃焼量低下処理を実行し、標準バーナ１ａに対応する前面火力表示部３６及び天面火力表示部７１を同様に点滅させることにより、加熱用位置に被加熱物が位置しない状態で標準バーナ１ａが燃焼している異常状態であることを報知する（ステップ＃３１，３２）。
【００５４】
続いて、燃焼制御手段Ｈは、ロータリーエンコーダ３３から出力される前記パルス信号を監視して、そのパルス信号が燃焼量増大変更調節を指令するものであっても、その指令をキャンセルして燃焼量増大変更を実行せず、前記パルス信号が燃焼量低下変更調節を指令するものであるときは、最下段の火力１に減少させることに対応する燃焼量低下変更調節の指令のときのみ、その最下段の火力１に対応する燃焼量に低下させるように、流量制御弁１８の開度を調節することにより、燃焼量低下処理を実行する（ステップ＃３３〜３６）。
【００５５】
続いて、燃焼制御手段Ｈは、標準バーナ１ａの燃焼中に被加熱物検出スイッチ１０がＯＦＦ状態になった後の経過時間Ｔ２が不存在判別用設定時間Ｔｓ２に達するまでは、被加熱物検出スイッチ１０のＯＦＦ状態が継続し且つ点消火スイッチ３２のＯＮ状態が継続している間は、ステップ＃３３〜３６の処理を繰り返す。そして、その間において、前記経過時間Ｔ２が前記不存在判別用設定時間Ｔｓ２よりも短い中間報知用設定時間Ｔｓ３に達すると、スピーカ３７により、例えば、「鍋を置いてください」の如き案内情報を報知させ、被加熱物検出スイッチ１０がＯＮ状態になると、標準バーナ１ａを燃焼状態に維持する燃焼維持処理を実行し、点消火スイッチ３２がＯＮ状態からＯＦＦ状態に切り換えられると、消火処理を実行して（ステップ＃３７〜４２、５０）、メインのフローチャートのステップ＃１に戻って、点消火スイッチ３２がＯＦＦ状態からＯＮ状態に切り換えられるのを待つ。
【００５６】
又、燃焼制御手段Ｈは、前記経過時間Ｔ２が不存在判別用設定時間Ｔｓ２に達しても、被加熱物検出スイッチ１０のＯＦＦ状態が継続している場合は、標準バーナ１ａを消火させる不存在時消火処理を実行し、スピーカ３７により、例えば、「安全装置が働きました」の如き警報を報知させ、点消火スイッチ３２がＯＮ状態であることによる点火指令を無効にし（ステップ＃３７、４１〜４３）、メインのフローチャートのステップ＃１に戻って、点消火スイッチ３２がＯＦＦ状態からＯＮ状態に切り換えられるのを待つ。
ちなみに、前記不存在判別用設定時間Ｔｓ２は、例えば６０秒に設定し、前記中間報知用設定時間Ｔｓ３は、例えば３０秒に設定する。
【００５７】
つまり、燃焼制御手段Ｈは、バーナ１ａ，１ｃの燃焼中において、被加熱物検出手段１０が被加熱物の不存在を検出すると、直ちにバーナ１ａ，１ｃの燃焼量を不存在時燃焼量に低下させる不存在時燃焼量低下処理を実行し、被加熱物検出手段１０が被加熱物の不存在を検出した後の経過時間Ｔ２が不存在判別用設定時間Ｔｓ２に達するまでに、被加熱物検出手段１０が被加熱物の存在を検出すると、バーナ１ａ，１ｃを燃焼状態に維持する燃焼維持処理を実行し、前記経過時間Ｔ２が不存在判別用設定時間Ｔｓ２に達しても、被加熱物検出手段１０による被加熱物の不存在の検出が継続している場合は、バーナ１ａ，１ｃを消火させる不存在時消火処理を実行するように構成されている。
【００５８】
又、燃焼制御手段Ｈは、前記不存在時燃焼量低下処理において、前記不存在時燃焼量を前記５段階の設定燃焼量における最下段の設定燃焼量よりも１段上の２段目の設定燃焼量とするように構成されている。
【００５９】
又、燃焼制御手段Ｈは、前記不存在時燃焼量低下処理の実行後であって、被加熱物検出手段１０による被加熱物不存在の検出の継続によりバーナ１ａ，１ｃの燃焼量を不存在時燃焼量に低下させている間は、燃焼量調節操作部２９からの燃焼量調節指令に基づくバーナ１ａ，１ｃの燃焼量の増大側への変更調節を実行しないように構成されている。
【００６０】
又、前記スピーカ３７が、バーナ１ａ，１ｃの燃焼中において被加熱物検出手段１０が被加熱物の不存在を検出すると、加熱用位置に被加熱物を位置させることを促す案内情報を報知する報知手段に相当する。
そして、その報知手段としての前記スピーカ３７は、バーナ１ａ，１ｃの燃焼中において被加熱物検出手段１０が被加熱物の不存在を検出した後の経過時間Ｔ２が前記不存在判別用設定時間Ｔｓ２よりも短い中間報知用設定時間Ｔｓ３に達すると、前記案内情報を報知するように構成されている。
【００６１】
次に、図１３に基づいて、前記燃焼維持制御について、説明する。
燃焼制御手段Ｈは、上述のように、標準バーナ１ａの燃焼中において被加熱物検出スイッチ１０がＯＦＦ状態になった後の経過時間Ｔ２が不存在判別用設定時間Ｔｓ２に達するまでに、被加熱物検出スイッチ１０がＯＮ状態になると、この燃焼維持処理を実行する。
そして、この燃焼維持処理では、前記不存在時燃焼量低下処理の実行前の火力が最上段の火力５のときは、その最上段の火力５よりも１段低い火力４までは直ちに増大し、その後、待機用設定時間（例えば、１秒）が経過した後に最上段の火力５に戻すように流量制御弁１８の開度を調節することにより、２段階燃焼量増大処理を実行し、前記不存在時燃焼量低下処理の実行前の火力が最上段の火力５よりも低い火力のときは、前記不存在時燃焼量低下処理の実行前の火力に直ちに戻すように流量制御弁１８の開度を調節することにより、通常燃焼量増大処理を実行する（ステップ＃５１〜５３）。
【００６２】
つまり、燃焼制御手段Ｈは、前記燃焼維持処理において、バーナ１ａ，１ｃの燃焼量を前記不存在時燃焼量低下処理の実行前の燃焼量に戻すように構成されている。
【００６３】
又、最上段の火力５に対応する燃焼量がバーナ１ａ，１ｃの燃焼量の調節範囲の最大燃焼量に相当し、最上段の火力５よりも１段低い火力４に対応する燃焼量が前記最大燃焼量よりも小さい待機用燃焼量に相当する。
つまり、燃焼制御手段Ｈは、前記燃焼維持処理においては、前記不存在時燃焼量低下処理の実行前のバーナ１ａ，１ｃの燃焼量がその調節範囲における最大燃焼量のときは、バーナ１ａ，１ｃの燃焼量を最大燃焼量よりも小さい待機用燃焼量までは直ちに増大し、その後、前記待機用設定時間が経過した後に前記最大燃焼量に戻すように構成されている。
【００６４】
続いて、燃焼制御手段Ｈは、燃焼量調節操作部２９から燃焼量変更指令が無く且つ被加熱物検出スイッチ１０がＯＮ状態で且つ点消火スイッチ３２がＯＮ状態の間は、標準バーナ１ａの燃焼量を前記不存在時燃焼量低下処理の実行前の燃焼量に維持する状態を継続し、あるいは、燃焼量調節操作部２９から燃焼量変更指令が無く且つ被加熱物検出スイッチ１０がＯＮ状態からＯＦＦ状態になると、前記燃焼中被加熱物無し制御を実行し、あるいは、燃焼量調節操作部２９から燃焼量変更指令が無く且つ被加熱物検出スイッチ１０がＯＮ状態で、点消火スイッチ３２がＯＮ状態からＯＦＦ状態に切り換えられると、消火処理を実行して（ステップ＃５４〜５８）、メインのフローチャートのステップ＃１に戻って、点消火スイッチ３２がＯＦＦ状態からＯＮ状態に切り換えられるのを待つ。
【００６５】
又、燃焼制御手段Ｈは、ステップ＃５４で、燃焼量調節操作部２９から燃焼量変更指令が指令されたときは、標準バーナ１ａの燃焼量を指令された燃焼量に変更調節するように流量制御弁１８の開度を調節することにより、燃焼量変更処理を実行し、点消火スイッチ３２がＯＮ状態が継続している場合は（ステップ＃５４、５９、６０）、メインのフローチャートのステップ＃５に戻り、点消火スイッチ３２がＯＮ状態からＯＦＦ状態に切り換えられると、消火処理を実行して（ステップ＃６０、５８）、メインのフローチャートのステップ＃１に戻って、点消火スイッチ３２がＯＦＦ状態からＯＮ状態に切り換えられるのを待つ。
【００６６】
〔別実施形態〕
次に別実施形態を説明する。
（イ）  上記の実施形態では、前記燃焼制御部Ｈを、不存在時燃焼量低下処理において、バーナ１ａ，１ｃの燃焼量を不存在時燃焼量に一気に低下させるように構成する場合について例示したが、バーナ１ａ，１ｃの燃焼量を不存在時燃焼量に向けて漸減させるように構成しても良い。
又、前記燃焼制御部Ｈを、バーナ１ａ，１ｃの燃焼量を不存在時燃焼量に向けて漸減させる不存在時燃焼量低下処理の実行中は、前記燃焼量調節操作部２９からの燃焼量調節指令に基づくバーナ１ａ，１ｃの燃焼量の増大側への変更調節を実行しないように構成してもよい。
【００６７】
（ロ）  前記燃焼維持処理としては、上記の実施形態において例示した形態、即ち、燃焼量を前記不存在時燃焼量低下処理の実行前の燃焼量に戻した燃焼を燃焼状態として、バーナ１ａ，１ｃの燃焼を維持させる形態に限定されるものではない。
例えば、前記不存在時燃焼量低下処理にて低下された前記不存在時燃焼量による燃焼を燃焼状態として、バーナ１ａ，１ｃの燃焼を維持させる形態を採用することが可能である。
あるいは、前記不存在時燃焼量よりも大きく且つ前記不存在時燃焼量低下処理の実行前の燃焼量よりも小さい燃焼量による燃焼を燃焼状態として、バーナ１ａ，１ｃの燃焼を維持させる形態を採用することが可能である。
あるいは、前記不存在時燃焼量低下処理の実行前の燃焼量が最大燃焼量のときは、その最大燃焼量よりも小さく且つ不存在時燃焼量よりも大きい燃焼量による燃焼を燃焼状態として、バーナ１ａ，１ｃの燃焼を維持させ、前記不存在時燃焼量低下処理の実行前の燃焼量が最大燃焼量よりも小さいときは、前記不存在時燃焼量低下処理の実行前の燃焼量による燃焼を燃焼状態として、バーナ１ａ，１ｃの燃焼を維持させる形態を採用することが可能である。
【００６８】
（ハ）  前記被加熱物検出手段の具体構成としては、上記の実施形態において例示した被加熱物検出スイッチ１０に限定されるものではない。
例えば、前記上下可動部９ｂの両横側方に振り分けて配置した磁石とリードスイッチ、及び、前記上下可動部９ｂが押し下げられると前記磁石と前記リードスイッチとの間に位置し且つ前記上下可動部９ｂが上方に復帰すると前記磁石と前記リードスイッチとの間から退出するように前記上下可動部９ｂに取り付けた磁性体にて構成することが可能である。
あるいは、投射光が加熱用位置に位置する被加熱物により反射されることにより、あるいは、投射光が加熱用位置に位置する被加熱物により遮蔽されることにより、被加熱物の存在を検出するように構成した光センサにて構成することが可能である。
あるいは、五徳６上に被加熱物が載置されることにより検出重量が変動するように配置したロードセンサにて構成することが可能である。
【００６９】
（ニ）  加熱用位置に被加熱物を位置させることを促す案内情報を報知する報知手段の具体構成としては、上記の実施形態において例示したスピーカ３７に限定されるものではない。
例えば、前記案内情報を表示する表示装置や、ブザー、ランプ等にて構成することが可能である。又、スピーカ３７、表示装置、ブザー及びランプのうちの複数を用いて構成しても良い。
【図面の簡単な説明】
【００７０】
【図１】コンロの斜視図
【図２】コンロの制御構成を示すブロック図
【図３】コンロのバーナ付近の縦断面図
【図４】流量制御弁の構成を示す図
【図５】流量制御弁の要部を示す図
【図６】点消火指令部及び燃焼量調節操作部の構成を示す図
【図７】点消火指令部及び燃焼量調節操作部の操作状態を説明する図
【図８】前面火力表示部を示す図
【図９】天面表示部を示す図
【図１０】制御動作のフローチャートを示す図
【図１１】制御動作のフローチャートを示す図
【図１２】制御動作のフローチャートを示す図
【図１３】制御動作のフローチャートを示す図
【符号の説明】
【００７１】
１ａ，１ｃ  バーナ
１０        被加熱物検出手段
２９        燃焼量調節操作部
３７        報知手段
Ｈ          燃焼制御手段
【図１】
0004404736.tif 000002
【図２】
0004404736.tif 000003
【図３】
0004404736.tif 000004
【図４】
0004404736.tif 000005
【図５】
0004404736.tif 000006
【図６】
0004404736.tif 000007
【図７】
0004404736.tif 000008
【図８】
0004404736.tif 000009
【図９】
0004404736.tif 000010
【図１０】
0004404736.tif 000011
【図１１】
0004404736.tif 000012
【図１２】
0004404736.tif 000013
【図１３】
0004404736.tif 000014